(57)【要約】【課題】商品に無線タグが取付けられていることや、その無線タグにはどのようなデータが記憶されているのかを顧客に報知できるようにする。【解決手段】ＰＯＳ端末は、商品に取付けられた無線タグに記憶されている商品コードを読取る無線タグリーダライタを備えている。そして、この無線タグリーダライタにより読取られた商品コードが入力されると、この入力された商品コードに基づいて商品販売データを処理し、この処理された商品販売データを客用ディスプレイ２３に表示出力する。このとき、この商品販売データに、商品に無線タグが取付けられていることを示すデータ６１〜６３を付加して表示出力する。【選択図】      図１１
2005339353.tif 000002
【特許請求の範囲】
【請求項１】
商品に取付けられた無線タグに記憶されている商品コードを読取る無線タグデータ読取手段と、
入力された商品コードに基づいて商品販売データを処理する商品販売データ処理手段と、
この商品販売データ処理手段により処理された商品販売データを出力する商品販売データ出力手段と、
入力された商品コードが前記無線タグデータ読取手段により前記無線タグから読取られた商品コードか否かを判断する入力元判断手段と、
この入力元判断手段により入力された商品コードが前記無線タグから読取られた商品コードであると判断されると、その商品コードに基づく商品販売データに、商品に無線タグが取付けられていることを示すデータを付加して前記商品販売データ出力手段により出力させる出力制御手段と、
を具備したことを特徴とする商品販売データ処理装置。
【請求項２】
前記商品販売データ出力手段は客用表示部であり、
前記出力制御手段は、前記入力元判断手段により入力された商品コードが前記無線タグから読取られた商品コードであると判断されると、その商品コードに基づく商品販売データに、商品に無線タグが取付けられていることを示すデータを付加して前記客用表示部に表示させる手段であることを特徴とする請求項１記載の商品販売データ処理装置。
【請求項３】
前記商品販売データ出力手段はレシート印字部であり、
前記出力制御手段は、前記入力元判断手段により入力された商品コードが前記無線タグから読取られた商品コードであると判断されると、その商品コードに基づく商品販売データに、商品に無線タグが取付けられていることを示すデータを付加して前記レシート印字部によりレシート印字させる手段であることを特徴とする請求項１記載の商品販売データ処理装置。
【請求項４】
前記商品に無線タグが取付けられていることを示すデータは、このデータとともに出力される商品販売データの基になる商品コードが記憶された前記無線タグに記憶された無線タグデータであることを特徴とする請求項１乃至３のいずれかに記載の商品販売データ処理装置。
【請求項５】
商品に取付けられた無線タグに記憶されている商品コードを入力する第１の商品コード入力手段と、
前記無線タグ以外から商品コードを入力する第２の商品コード入力手段と、
入力された商品コードに基づいて商品販売データを処理する商品販売データ処理手段と、
この商品販売データ処理手段により処理された商品販売データを出力する商品販売データ出力手段と、
入力された商品コードが前記第１の商品コード入力手段により入力された商品コードであるのか前記第２の商品コード入力手段により入力された商品コードであるのかを判断する入力元判断手段と、
この入力元判断手段により前記第１の商品コード入力手段により入力された商品コードであると判断されたときには、商品に無線タグが取付けられていることを示すデータを付加し、前記第２の商品コード入力手段により入力された商品コードであると判断されたときには、前記商品に無線タグが取付けられていることを示すデータを付加しないで、その商品コードに基づく商品販売データを前記商品販売データ出力手段により出力させる出力制御手段と、
を具備したことを特徴とする商品販売データ処理装置。
【請求項６】
前記商品販売データ出力手段は客用表示部であり、
前記出力制御手段は、前記入力元判断手段により入力された商品コードが前記第１の商品コード入力手段により入力された商品コードであると判断されると、その商品コードに基づく商品販売データに、商品に無線タグが取付けられていることを示すデータを付加して前記客用表示部に表示させる手段であることを特徴とする請求項５記載の商品販売データ処理装置。
【請求項７】
前記商品販売データ出力手段はレシート印字部であり、
前記出力制御手段は、前記入力元判断手段により入力された商品コードが前記第１の商品コード入力手段により入力された商品コードであると判断されると、その商品コードに基づく商品販売データに、商品に無線タグが取付けられていることを示すデータを付加して前記レシート印字部によりレシート印字させる手段であることを特徴とする請求項５記載の商品販売データ処理装置。
【請求項８】
前記商品に無線タグが取付けられていることを示すデータは、このデータとともに出力される商品販売データの基になる商品コードが記憶された前記無線タグに記憶された無線タグデータであることを特徴とする請求項５乃至７のいずれかに記載の商品販売データ処理装置。
【請求項９】
商品に取付けられた無線タグに記憶されている商品コードを読取る無線タグデータ読取手段と、
入力された商品コードに基づいて商品販売データを処理する商品販売データ処理手段と、
この商品販売データ処理手段により処理された商品販売データを出力する商品販売データ出力手段と、
商品販売データ処理の終了を指令する登録締め手段と、
この登録締め手段により商品販売データ処理の終了が指令されると、前記無線タグデータ読取手段により読取った商品コードに関連する商品販売データに、商品に無線タグが取付けられていることを示すデータを付加して前記商品販売データ出力手段により出力させる出力制御手段と、
を具備したことを特徴とする商品販売データ処理装置。
【請求項１０】
前記商品販売データ出力手段は客用表示部であり、
前記出力制御手段は、前記登録締め手段により商品販売データ処理の終了が指令されると、前記無線タグデータ読取手段により読取った商品コードに関連する商品販売データに、商品に無線タグが取付けられていることを示すデータを付加して前記客用表示部に表示させる手段であることを特徴とする請求項９記載の商品販売データ処理装置。
【請求項１１】
前記商品販売データ出力手段はレシート印字部であり、
前記出力制御手段は、前記登録締め手段により商品販売データ処理の終了が指令されると、前記無線タグデータ読取手段により読取った商品コードに関連する商品販売データに、商品に無線タグが取付けられていることを示すデータを付加して前記レシート印字部によりレシート印字させる手段であることを特徴とする請求項９記載の商品販売データ処理装置。
【請求項１２】
前記商品に無線タグが取付けられていることを示すデータは、このデータとともに出力される商品販売データの基になる商品コードが記憶された前記無線タグに記憶された無線タグデータであることを特徴とする請求項９乃至１１のいずれかに記載の商品販売データ処理装置。
【発明の詳細な説明】
【技術分野】
【０００１】
本発明は、商品に取付けられた無線タグから商品コードを読取り、この読取った商品コードに基づいて商品販売データを処理する商品販売データ処理装置に関する。
【背景技術】
【０００２】
近年、商品に無線タグを取付け、この無線タグのメモリに、当該無線タグが取付けられた商品に関するデータを記憶させ、この無線タグに記憶されたデータを用いて商品管理を行ったり、商品の販売データを処理したりする様々な技術が提案されている。
【０００３】
例えば、無線タグから当該無線タグが取付けられている商品を識別する商品コードの応答を受けると、その商品コードに基づいて商品販売データを処理するとともに、この商品に取付けられた無線タグのデータを書換える商品販売データ処理装置があった（例えば、特許文献１参照）。
【０００４】
また、無線タグのメモリに、当該無線タグが取付けられている商品の賞味期限や製造年月日等の鮮度データを記憶させ、この無線タグから読取った鮮度データとシステム内の日時とから商品の値引または特典データを決定し、この値引または特典データを表示，印字出力する商品管理システムがあった（例えば、特許文献２参照）。
【特許文献１】特開平１０−１６２２４５号公報
【特許文献２】特開２００２−０８３３６９公報
【発明の開示】
【発明が解決しようとする課題】
【０００５】
しかし、これらの従来技術において、無線タグは、記憶されたデータがそのままかあるいは新しいデータに書換えられた後に、商品に取付けられた状態で顧客に渡されることになる。そして、顧客に渡された後も、無線タグリーダを使用すれば無線タグのメモリに記憶されているデータを読み出すことは可能であった。このため、次のような問題が生じるおそれがあった。
【０００６】
例えば、無線タグには商品コード以外にも店舗コード，販売金額，販売日等の種々のデータを記憶させることが可能である。そして、多くの顧客は、自宅に持ち帰った商品に無線タグが取付けられていることに気付かず、そのまま放置すると考えられる。このため、無線タグリーダを持ってその顧客の自宅周辺を歩けば、その家にはどのような商品があり、またその商品はいつ頃、どの店で、いくらで購入したのかが分かってしまうことになる。また、店の出入口等に無線タグリーダを設けることによって、来店した顧客が身につけている衣類やバッグ，装飾品等はいつ頃、どの店で、いくらで購入したものなのかを判別することができるようになる。
【０００７】
このようなことは、商品製造業者や商品販売業者にとっては、顧客の消費動向を掴むことができるので都合がよい。しかし、個人のプライバシー保護や個人データの保護という観点からすると甚だ問題である。
【０００８】
その一方で、顧客にとっても無線タグを取付けたままの方が都合がよい場合がある。例えば、無線タグリーダ付きの冷蔵庫を使用することにより、冷蔵庫内に収容された商品の自動認識や賞味期限の自動管理等が行えるようになる。また、購入した商品に取付けられている無線タグデータを、自宅のパソコンに接続された無線タグリーダで読取ることにより、購入した商品の販売価格，販売日等のデータをパソコンの家計簿ソフトに簡単に入力することができる。
【０００９】
したがって、商品に無線タグを取付けて販売する場合において問題となるのは、商品に無線タグが取付けられていることや、その無線タグにはどのようなデータが記憶されているのかを顧客が知らないで商品を購入してしまうこと、さらには無線タグが取付けられていることを知らずに購入した商品を持ち歩いたり使用したりしてしまうことである。
【００１０】
本発明はこのような事情に基づいてなされたもので、その目的とするところは、商品に無線タグが取付けられていることや、その無線タグにはどのようなデータが記憶されているのかを顧客に報知することができ、顧客の知らぬままに購入した商品に取付けられた無線タグから当該顧客の個人データが漏洩するのを未然に防ぐことができる商品販売データ処理装置を提供しようとするものである。
【課題を解決するための手段】
【００１１】
本発明の商品販売データ処理装置は、商品に取付けられた無線タグに記憶されている商品コードを読取る無線タグデータ読取手段と、入力された商品コードに基づいて商品販売データを処理する商品販売データ処理手段と、この商品販売データ処理手段により処理された商品販売データを出力する商品販売データ出力手段、例えば客用表示部あるいはレシート印字部と、入力された商品コードが無線タグデータ読取手段により無線タグから読取られた商品コードか否かを判断する入力元判断手段とを備える。そして、出力制御手段は、入力された商品コードが無線タグから読取られた商品コードであるとき、その商品コードに基づく商品販売データに、商品に無線タグが取付けられていることを示すデータを付加して商品販売データ出力手段により出力させるものである。
【発明の効果】
【００１２】
かかる手段を講じた本発明によれば、商品に無線タグが取付けられていることや、その無線タグにはどのようなデータが記憶されているのかを顧客に報知することができるので、顧客の知らぬままに購入した商品に取付けられた無線タグから当該顧客の顧客の個人データが漏洩するのを未然に防ぐことができるようになる。
【発明を実施するための最良の形態】
【００１３】
以下、本発明を実施するための最良な形態について、図面を用いて説明する。  
なお、この実施の形態は、衣料品等の商品を販売する販売店に設置されたＰＯＳ（Point Of Sales）端末に本発明を適用した場合である。
【００１４】
図１は本実施の形態の販売店に構築されるシステム構成図であり、販売店にはストアサーバ１と、複数台のＰＯＳ端末２とが設置されている。ストアサーバ１と各ＰＯＳ端末２とは、ＬＡＮ（Local Area Network）３で接続されている。
【００１５】
ストアサーバ１には、商品マスタファイル４が設けられている。商品マスタファイル４には予め各商品の設定データが保存されている。商品設定データには、図２に示すように、商品を識別する商品コード、商品の属性を表わす属性コード、商品を特定する商品名、販売価格等の項目データが含まれている。
【００１６】
ＰＯＳ端末２は、商品コード入力手段により顧客が購入する販売商品の商品コードが入力されると、この商品コードによって識別される商品の商品名，販売価格等のデータを商品マスタファイル４から呼出し、この商品データに基づいて商品販売データを処理するものである。ここに、ストアサーバ１と各ＰＯＳ端末２とにより、販売時点の売上管理を行うＰＯＳシステムが構築されている。
【００１７】
ＰＯＳ端末２には、第１の商品コード入力手段として無線タグリーダライタ５が接続されており、第２の商品コード入力手段としてバーコードスキャナ６が接続されている。そして、図３に示すように、当該店舗で販売される衣料品等の商品には商品コードのバーコードが印刷された値札ラベル７が取付けられている。また、例えばコートやジャケットのように比較的高額な商品には、万引等の盗難防止を図るために無線タグ８が取付けられている。
【００１８】
無線タグ８は、図４に示すように、アンテナ８１とＩＣチップ８２とを札状の基板（不図示）に一体成形した独立の部品である。アンテナ８１は、矩形状に成形されたループアンテナ等である。ＩＣチップ８２は、アンテナ８１で受信した無線タグリーダライタ５からの変調波の整流と安定化を行うことによりＩＣチップ８２の各部に電源を供給する電源生成部８３、上記変調波を復調して制御部８６へ送出する復調部８４、制御部８６から送出されたデータを変調してアンテナ８１に送出する変調部８５、復調部８４で復調されたデータをメモリ８７に書き込んだり、メモリ８７からデータを読み出して変調部８５へ送出したりする制御部８６、ＥＥＰＲＯＭ等の不揮発性の書換え可能なメモリ８７等で構成されている。
【００１９】
メモリ８７には、図３に示すように、当該無線タグ８の製造段階で製造業者により割当て設定された固有のＩＤが予め記憶されている。また、ユーザが任意のデータを書き込むことができるユーザエリア８７１が確保されている。本実施の形態では、ユーザエリア８７１にタグ種別コードとタグ付商品関連データとが記憶される。タグ種別コードは、無線タグ８の種類を識別するコードである。無線タグ８は、タグ付商品関連データの項目が異なる毎に別種として管理される。タグ付商品関連データの項目としては、当該無線タグ８が取付けられている商品の商品コード、販売価格、販売日、販売店の店舗コード等がある。この他、衣料品に取付けられる無線タグには、その衣料品のサイズや色等の項目が追加されたり、食品に取付けられる無線タグには、消費期限や製造年月日等の項目が追加されたりする場合がある。
【００２０】
図５はＰＯＳ端末２及びこのＰＯＳ端末５に接続された無線タグリーダライタ５とバーコードスキャナ６の外観斜視図であり、図６はその要部を示すブロック図である。ＰＯＳ端末２は、正面にキーボード２１とオペレータ用表示部としてのディスプレイ２２を設け、背面に客用表示部としてのディスプレイ２３を設けている。また、レシート印字を行うためのレシートプリンタ２４を内蔵しており、このレシートプリンタ２４によって印刷されたレシートをレシート発行口２４Ａから排出するようになっている。さらに、現金等を収容するためのドロワ２５を備えている。
【００２１】
オペレータ用ディスプレイ２２及び客用ディスプレイ２３とレシートプリンタ２４とは、商品販売データ処理された商品の名称，価格，合計金額等の商品販売データを出力する商品データ出力手段として機能する。キーボード２１には、１顧客に対する商品販売データ処理の終了を指令する登録締め手段として機能する締めキーが設けられている。
【００２２】
かかる入出力機器を備えたＰＯＳ端末２は、主制御部を構成するＣＰＵ（Central Processing Unit）２６と、主記憶部を構成するＲＯＭ（Read Only Memory）２７及びＲＡＭ（Random Access Memory）２８と、不揮発性の補助記憶装置であるＨＤＤ（Hard Disk Drive）装置２９と、現在日時を計時する時計部３０と、ＬＡＮ３を介して行うデータ通信を制御するＬＡＮインターフェイス３１と、無線タグリーダライタ５とのデータ通信を制御する無線タグリーダライタインターフェイス３２と、バーコードスキャナ６とのデータ通信を制御するスキャナインターフェイス３３とを搭載している。また、キーボード２１を制御するキーボードコントローラ３４、オペレータ用ディスプレイ２２を制御する表示コントローラ３５、客用ディスプレイ２３を制御する表示コントローラ３６、レシートプリンタ２４を制御するプリンタコントローラ３７、ドロワ２５の開放指令信号を出力するＩ／Ｏポート３８等を備えている。
【００２３】
無線タグリーダライタ５は、ＰＯＳ端末２との間でデータ信号を授受するインターフェイス部５１、無線タグ８への送信電波を変調する変調部５２、変調波を増幅してアンテナ５３から放射させる送信アンプ５４、アンテナ５３で受信した電波を増幅する受信アンプ５５、増幅された無線波を復調する復調部５６、ＰＯＳ端末２からの指令に応じて無線タグ８への電波を発信させたり、無線タグ８から受信した電波に含まれるデータを解析してＰＯＳ端末２に送信したりする制御部５７等で構成されている。アンテナ５３は、複数の商品を同時に載置可能な無線タグリーダライタ５に埋設されており、この無線タグリーダライタ５の上方の交信距離内を無線タグ８との交信エリアとしている。無線タグリーダライタ５は、複数の商品に取付けられた無線タグ８に記憶されている無線タグデータ（ＩＤ，タグ種別コード，タグ付商品関連データ）をアンチコリジョン機能により一斉に読取ることができる。ここに、無線タグリーダライタ５は、無線タグデータ読取手段を構成する。
【００２４】
ＰＯＳ端末２のＨＤＤ装置２９には、図７に示すデータ構造のタグフォーマットテーブル４１が保存されている。このタグフォーマットテーブル４１には、タグ種別コードと、当該種別コードによって識別される無線タグ８のユーザエリア８７１に記憶されているタグ付商品関連データの項目数が設定されている。また、タグ付商品関連データの項目毎に、一連の項目番号とデータサイズと項目名称とステータスとが設定されている。ステータスは、対応する項目が予め記憶された項目である場合は“０”であり、当該無線タグ８が取付けられた商品の販売データ処理時に書き込まれる項目である場合は“１”である。図７に示すタグフォーマットテーブル４１は、タグ付商品関連データの項目として「商品コード」，「店舗コード」，「販売価格」，「販売日」の４項目があり、「商品コード」だけが予め記憶されているタイプの無線タグ８に対応したものである。このようなタグフォーマットテーブル４１は、無線タグの種類毎に存在する。
【００２５】
ＰＯＳ端末２のＲＡＭ２８には、図８に示すエリア構成の商品登録メモリ４２が形成されている。この商品登録メモリ４２には、一連番号別に、無線タグリーダライタ５またはバーコードスキャナ６を介して入力された商品コードが書き込まれるエリアと、この商品コードによって識別される商品の商品名及び価格が書き込まれるエリアと、商品コード入力元が無線タグリーダライタ５であるときオン（ＯＮ）し、それ以外のときオフ（ＯＦＦ）する入力元判定フラグＦのエリアと、無線タグリーダライタ５で読取られた無線タグ８のデータ（ＩＤ，タグ種別コード，タグ付商品関連データ）が書き込まれるエリアとが確保されている。
【００２６】
図９乃至図１０はＰＯＳ端末２のＣＰＵ２６が実行する１顧客との商品売買取引処理の要部手順を示す流れ図である。すなわちＣＰＵ２６は、商品登録メモリ４２をクリアし、書込みカウンタＷを“０”に初期化した後（ＳＴ１）、顧客が買上げる商品の商品コードが入力されるのを待機する（ＳＴ２）。
【００２７】
この待機期間中、無線タグリーダライタ５ではアンテナ５３から無線タグ読取り電波が発信されている。この状態で、アンテナ５３の交信エリア内に無線タグ８が存在すると、この無線タグ８のメモリ８７に記憶されている無線タグデータが読取られ、ＰＯＳ端末２に送出される。なお、複数の無線タグ８が交信エリア内に存在する場合には、無線タグデータが順番に読取られてＰＯＳ端末２に送出される。また、バーコードスキャナ６ではレーザビーム光が走査されている。この状態で、レーザビーム光がバーコードを走査すると、黒白のバーコードデータが光学的に読取られ、ＰＯＳ端末２に送出される。
【００２８】
そこでＣＰＵ２６は、無線タグリーダライタ５によって読取られた無線タグデータが無線タグリーダライタインターフェイス３２を介して入力された場合には、この無線タグデータをＩＤ，タグ種別コード，タグ付商品関連コードに分割する。そして、タグ種別コードでタグフォーマットテーブル４１を検索して、タグ付商品関連データに含まれる項目「商品コード」の位置（項目番号）とデータサイズを取得し、この位置とデータサイズの情報でタグ付商品関連データエリアに格納されたタグ付商品関連データを解析して商品コードを抽出する。また、バーコードスキャナ６によって読取られたバーコードデータがスキャナインターフェイス３３を介して入力された場合には、そのバーコードデータを解析して商品コードを抽出する。
【００２９】
こうして、商品コードが抽出されると、ＣＰＵ２６は、商品コードの入力有りと判断する。そして、この商品コードが無線タグデータから抽出された商品コードなのかバーコードデータから抽出された商品コードなのかを判断する（ＳＴ３：入力元判断手段）。この判断は、例えば無線タグデータから抽出された商品コードには識別コードを付加することで可能となる。
【００３０】
入力された商品コードが無線タグデータから抽出された商品コードであった場合には、ＣＰＵ２６は、書込みカウンタＷを“１”だけカウントアップした後（ＳＴ４）、この商品コードでストアサーバ１に問合せを行ない、商品マスタファイル４から当該商品コードに対応して設定されている商品データを呼出す。そして、この商品コードと商品データ中の商品名及び価格を、商品登録メモリ４２のＷ番目（Ｗは書込みカウンタＷの値）に格納する（ＳＴ５）。また、このＷ番目の入力元判定フラグＦをオン（ＯＮ）する（ＳＴ６）。
【００３１】
次に、ＣＰＵ２６は、商品マスタファイル４から呼出した商品データに基づいて商品販売データをＲＡＭ２８に登録処理し（商品販売データ処理手段）、品名及び価格をオペレータ用ディスプレイ２２及び客用ディスプレイ２３の各登録画面に表示させる（ＳＴ７：商品販売データ出力手段）。
【００３２】
次に、ＣＰＵ２６は、タグフォーマットテーブル４１においてステータスが“１”の項目に該当するデータを取得し、無線タグリーダライタ５に対して無線タグ８への書込みを指令する（ＳＴ８）。例えば、商品コード入力元の無線タグ８が図７に示すデータ内容のタグフォーマットテーブル４１に対応したタイプであった場合、店舗コードと販売価格と販売日の各データを取得する。なお、店舗コードはＲＡＭ２８に予め設定されている。販売価格は商品マスタファイル４から呼出されている。販売日は時計部３０にて計時されている。各データは、書込み指令のコマンドとともに無線タグリーダライタ５に与えられる。無線タグリーダライタ５では、各データが変調され、その変調増幅波がアンテナ５３から発信される。このとき、無線タグリーダライタ５は、無線タグデータを読取った無線タグとの回線が確立されている。したがって、変調増幅波は、回線が確立されている無線タグ８のアンテナ８１で受信される。そして、この無線タグ８におけるメモリ８７のユーザエリア８７１に各データ（この場合は、店舗コード，販売価格，販売日）が書き込まれる。
【００３３】
次に、ＣＰＵ２６は、当該無線タグ８から読取った無線タグデータ（ＩＤ，タグ種別コード，タグ付き商品関連データ）と、当該無線タグ８に書き込んだステータスが“１”の項目のデータとを、商品登録メモリ４２のＷ番目に格納する（ＳＴ９）。また、客用ディスプレイ２３に、商品に無線タグが取付けられていることを示すデータとして、後述する無線タグ注意メッセージと無線タグマークと無線タグデータを表示させる（ＳＴ１０：出力制御手段）。
【００３４】
ＣＰＵ２６は、この１顧客との商品売買取引処理において、無線タグデータから抽出された商品コードが入力される毎に、ＳＴ４〜ＳＴ１０の各処理を実行する。
【００３５】
一方、ＳＴ３の判断処理において、入力された商品コードがバーコードデータから抽出された商品コードであった場合には、ＣＰＵ２６は、書込みカウンタＷを“１”だけカウントアップした後（ＳＴ１１）、この商品コードでストアサーバ１に問合せを行ない、商品マスタファイル４から当該商品コードに対応して設定されている商品データを呼出す。そして、この商品コードと商品データ中の商品名及び価格を、商品登録メモリ４２のＷ番目に格納する（ＳＴ１２）。また、このＷ番目の入力元判定フラグＦをオフ（ＯＦＦ）する（ＳＴ１３）。しかる後、ＣＰＵ２６は、商品マスタファイル４から呼出した商品データに基づいて商品販売データをＲＡＭ２８に登録処理し（商品販売データ処理手段）、品名及び価格をオペレータ用ディスプレイ２２及び客用ディスプレイ２３の各登録画面に表示させる（ＳＴ１４：商品販売データ出力手段）。
【００３６】
ＣＰＵ２６は、この１顧客との商品売買取引処理において、バーコードデータから抽出された商品コードが入力される毎に、ＳＴ１１〜ＳＴ１４の各処理を繰返し実行する。
【００３７】
その後、締めキーが入力されると（ＳＴ１５）、ＣＰＵ２６は、商品登録メモリ４２に記憶されている商品コード，商品名，価格等のデータに基づいて登録商品の売上を処理する登録商品締め処理を実行する（ＳＴ１６）。そして、登録商品締め処理を終了すると、ＣＰＵ２６は、読出しカウンタＲを“０”に初期化する（ＳＴ１７）。次いで、この読出しカウンタＲを“１”だけカウントアップし（ＳＴ１８）、書込みカウンタＷを越えたか否かを判断する（ＳＴ１９）。
【００３８】
ここで、読出しカウンタＲが書込みカウンタＷを超えていない場合には、ＣＰＵ２６は、商品登録メモリ４２からＲ番目（Ｒは読出しカウンタＲの値）のデータを取得する（ＳＴ２０）。そして、このデータに基づいてレシート印字データを作成する（ＳＴ２１）。また、このデータの入力元判定フラグＦがオン（ＯＮ）であるか否かを判断し（ＳＴ２２）、オン（ＯＮ）であった場合には、当該レシート印字データに、商品に無線タグが取付けられていることを示すデータとして、後述する無線タグ注意メッセージ、無線タグマーク及び無線タグデータを追加する（ＳＴ２３）。
【００３９】
その後、読出しカウンタＲをさらに“１”だけカウントアップする。そして、読出しカウンタＲが書込みカウンタＷを超えるまで、ＣＰＵ２６は、ＳＴ２０〜ＳＴ２３の各処理を繰り返し実行する。
【００４０】
読出しカウンタＲが書込みカウンタＷを超えると、ＣＰＵ２６は、レシートプリンタ２４の駆動を制御して、レシート印字データをレシート用紙に印字させ、レシートを発行させる（ＳＴ２４：出力制御手段）。また、ドロワ２５の開放指令信号をＩ／Ｏポート３８から出力したならば（ＳＴ２５）、ＣＰＵ２６は、１顧客との商品売買取引処理を終了する。
【００４１】
このように構成された本実施の形態のシステムが導入された店舗において、図７に示すタグフォーマットテーブル４１に対応する種類の無線タグ８がそれぞれ取付けられた商品２品「ジャケットＡ」「スラックスＢ」と、無線タグ８が取付けられていない商品１品「靴下Ｃ」を買上げる顧客との商品売買取引が発生すると、店員は、顧客の買上商品「ジャケットＡ」，「スラックスＢ」，「靴下Ｃ」を無線タグリーダライタ５の上に置く。
【００４２】
そうすると、商品「ジャケットＡ」には無線タグ８が取付けられているので、この無線タグ８のメモリ８７に記憶されている無線タグデータが無線タグリーダライタ５によって読取られ、ＰＯＳ端末２に与えられる。これにより、ＰＯＳ端末２では無線タグデータのタグ付き商品関連データに含まれる商品「ジャケットＡ」の商品コードが入力され、この商品コードに基づいて商品マスタファイル４から商品「ジャケットＡ」の商品名と価格（３万円とする）が呼出される。そして、商品登録メモリ４２の１番目エリアに、この商品「ジャケットＡ」の商品コード，商品名及び価格が格納され、入力元判定フラグＦがオンされる。また、無線タグリーダライタ５を介して商品「ジャケットＡ」に取付けられている無線タグ８のメモリ８７におけるユーザエリア８７１に、店舗コードと販売価格と販売日が書き込まれるとともに、この店舗コード，販売価格及び販売日のデータが当該商品「ジャケットＡ」に取付けられている無線タグ８のＩＤ，タグ種別コード，商品コードとともに商品登録メモリ４２の１番目エリアに格納される。
【００４３】
次に、商品「スラックスＢ」にも無線タグ８が取付けられているので、この無線タグ８のメモリ８７に記憶されている無線タグデータが無線タグリーダライタ５によって読取られ、ＰＯＳ端末２に与えられる。これにより、ＰＯＳ端末２では無線タグデータのタグ付き商品関連データに含まれる商品「スラックスＢ」の商品コードが入力され、この商品コードに基づいて商品マスタファイル４から商品「スラックスＢ」の商品名と価格（１万円とする）が呼出される。そして、商品登録メモリ４２の２番目エリアに、この商品「スラックスＢ」の商品コード，商品名及び価格が格納され、入力元判定フラグＦがオンされる。また、無線タグリーダライタ５を介して商品「スラックスＢ」に取付けられている無線タグ８のメモリ８７におけるユーザエリア８７１に、店舗コードと販売価格と販売日が書き込まれるとともに、この店舗コード，販売価格及び販売日のデータが当該商品「スラックスＢ」に取付けられている無線タグ８のＩＤ，タグ種別コード，商品コードとともに商品登録メモリ４２の２番目エリアに格納される。
【００４４】
また、オペレータ用ディスプレイ２２と客用ディスプレイ２３とに商品「ジャケットＡ」と商品「スラックスＢ」の商品名と価格が表示される。それと同時に、客用ディスプレイ２３には、予め設定された無線タグ注意メッセージ及び無線タグマークと、登録商品メモリ４２に記憶されている無線タグデータとが表示される。
【００４５】
店員は、無線タグリーダライタ５に載せた商品３品のうち商品「靴下Ｃ」のデータがオペレータ用ディスプレイ２２に表示されないことから、当該商品「靴下Ｃ」には無線タグ８が取付けられていないことを認識できる。そこで店員は、この商品「靴下Ｃ」に取付けられている値札ラベル７のバーコードをバーコードスキャナ６でスキャニング操作する。なお、「靴下Ｃ」に無線タグ８が取付けられていないことを知っている場合には、最初に「靴下Ｃ」を無線タグリーダライタ８に載せる必要はない。
【００４６】
値札ラベル７のバーコードをバーコードスキャナ６でスキャニング操作すると、この商品「靴下Ｃ」の商品コードがＰＯＳ端末２に入力され、この商品コードに基づいて商品マスタファイル４から商品「靴下Ｃ」の商品名と価格（千円とする）が呼出される。そして、商品登録メモリ４２の３番目エリアに、この商品「靴下Ｃ」の商品コード，商品名及び価格が格納され、入力元判定フラグＦがオフされる。また、オペレータ用ディスプレイ２２と客用ディスプレイ２３とに商品「靴下Ｃ」の商品名と価格が表示される。
【００４７】
この時点における客用ディスプレイ２３の画面表示例を図１１に示す。同図において、符号６１は無線タグマークであり、符号６２は無線タグデータであり、符号６３は無線タグ注意メッセージである。無線タグ注意メッセージのうち、項目名称は、タグフォーマットテーブル４１のデータを使用している。無線タグマーク６１と無線タグデータ６２は、それぞれ無線タグ８が取付けられた商品「ジャケットＡ」と商品「スラックスＢ」の商品名及び価格の表示に対応している。したがって、顧客はこの客用ディスプレイ２３の表示内容から、商品「ジャケットＡ」と商品「スラックスＢ」には無線タグ８が取付けられていること、また、その無線タグ８にはどのような情報が記憶されているのかを容易に確認することができる。
【００４８】
その後、店員は、締めキーを操作する。そうすると、商品登録メモリ４２に格納されたデータに基づいてレシート印字データが作成される。このとき、入力元判定フラグＦがオンしている商品「ジャケットＡ」，商品「スラックスＢ」のレシート印字データには、無線タグ注意メッセージと、無線タグマークと、無線タグデータとが追加される。
【００４９】
かくして、レシートプリンタ２４の作用により、例えば図１２に示す印字内容のレシート７０が印字発行される。図１２において、符号７１は無線タグマークであり、符号７２は無線タグデータであり、符号７３は無線タグ注意メッセージである。したがって、顧客はこのレシート７０の内容からも、商品「ジャケットＡ」と商品「スラックスＢ」には無線タグ８が取付けられていること、また、その無線タグ８にはどのような情報が記憶されているのかを容易に確認することができる。
【００５０】
ここで、顧客が無線タグ８に記憶されている情報に問題がないと認識した場合には、商品をそのまま持ち帰る。これに対し、問題があると認識した場合には、例えば店員に申し出て無線タグ８を取外してもらうか、無線タグ８をデータ読取不能に破壊してもらった後、商品を持ち帰る。
【００５１】
このように本実施の形態によれば、顧客が購入した商品に無線タグ８が取付けられているか否か、また取付けられている場合にはその無線タグ８にどのような情報が記憶されているのかを顧客に報知することができる。これにより、顧客は無線タグ８を取付けたまま商品を持ち帰るか、無線タグ８を取外したり破壊したりしてから商品を持ち帰るかを選択できるようになるので、顧客の知らぬままに、その顧客が購入した商品に取付けられた無線タグ８から当該顧客の個人データが漏洩するのを未然に防ぐことができる。
【００５２】
なお、上記実施の形態では、無線タグ８に商品コードを記憶しておき、無線タグリーダライタ５で読取った商品コードに基づいて商品マスタファイル４に問合せを行って該当する商品名データを取得するようにしたが、本発明はこの実施形態に限定されるものではなく、無線タグ８に商品コードとともに商品名データも記憶しておき、無線タグリーダライタ５で無線タグ８のデータを読取った後、この無線タグデータから商品名データを取得するようにして、商品マスタファイル４への問合せを不要にしてもよい。また、商品マスタファイル４をストアサーバ１に設けるのでなく、ＰＯＳ端末２のＨＤＤ装置２９に設けてもよい。
【００５３】
また、上記実施の形態では、無線タグ８から商品コードを読取った後、その無線タグ８に対して店舗コード，販売価格，販売日の項目データを書き込むとともに、この書き込んだデータを商品登録メモリ４２に記憶したが、無線タグ８に対して書き込む項目はこれに限定されるものではない。また、無線タグ８にデータを書き込んだ後、当該無線タグ６のメモリ８７に記憶されたデータを再度読取り、この読取った無線タグデータを商品登録メモリ４２に記憶するようにしてもよい。上記実施の形態の場合は、書込みエラーが発生してもエラーとなったデータが無線タグ８に書き込まれているものとして商品登録メモリ４２に記憶されるが、無線タグデータを再読取することによって、無線タグ８のメモリ８７に記憶されているデータが確実に商品登録メモリ４２に記憶されるようになる。
【００５４】
また、上記実施の形態では、無線タグ８が取付けられた商品の商品コードが無線タグリーダライタ５を介して入力される毎に、その商品の販売データとともに無線タグ注意メッセージと無線タグマークと無線タグデータとを表示させて、商品に無線タグが取付けられていることを顧客に報知したが、締めキーが操作されるまでは商品販売データのみを表示させ、締めキー操作後に無線タグ注意メッセージ等を表示させて、商品に無線タグが取付けられていることを顧客に報知するようにしてもよい。また、無線タグ注意メッセージや無線タグマークは、前記実施の形態のものに限定されるものではなく、無線タグが取付けられていることを顧客に報知できる内容のメッセージやマーク等であればよい。また、無線タグ注意メッセージと無線タグマークと無線タグデータの全てを表示または印字させる必要はなく、少なくとも１つを表示または印字させるものであってもよい。また、客用ディスプレイ２３だけでなくオペレータ用ディスプレイ２２にも無線タグ注意メッセージ等を表示させて、店員にも無線タグが取付けられていることを報知するようにしてもよい。
【００５５】
また、上記実施の形態では、表示や印字を利用して顧客に無線タグ８が取付けられていることを報知したが、商品データ出力手段は表示及び印字に限定されるものではなく、例えば音声により顧客に報知するものであってもよい。
【００５６】
また、前記実施の形態では、第２の商品コード入力手段としてバーコードスキャナ６を示したが、第２の商品コード入力手段はこれに限定されるものではなく、例えばキーボード２１から入力された商品コードも第２の商品コード入力手段からの入力として同様に処理することができる。  
この他、本発明の要旨を逸脱しない範囲で種々変形実施可能であるのは勿論である。
【図面の簡単な説明】
【００５７】
【図１】本発明の一実施の形態の販売店に構築されるシステム構成図。
【図２】同実施の形態において使用する商品マスタファイルに保存されるデータの構造を示す模式図。
【図３】同実施の形態において商品に取付けられている無線タグの一例とその無線タグに記憶されるデータの構造を示す模式図。
【図４】同実施の形態における無線タグの要部構成を示すブロック図。
【図５】同実施の形態におけるＰＯＳ端末，無線タグリーダライタ及びバーコードスキャナの外観構成を示す斜視図。
【図６】同実施の形態におけるＰＯＳ端末，無線タグリーダライタ及びバーコードスキャナの要部構成を示すブロック図。
【図７】同実施の形態におけるＰＯＳ端末のＨＤＤ装置に保存されるタグフォーマットテーブルのデータ構造を示す模式図。
【図８】同ＰＯＳ端末のＲＡＭに形成されるタグデータメモリのエリア構成を示す模式図。
【図９】同ＰＯＳ端末のＣＰＵが実行する１顧客との商品売買取引処理の要部手順を示す流れ図。
【図１０】同ＰＯＳ端末のＣＰＵが実行する１顧客との商品売買取引処理の要部手順を示す流れ図。
【図１１】同ＰＯＳ端末装置の客用ディスプレイに表示される画面の一例を示す模式図。
【図１２】同ＰＯＳ端末から印字発行されるレシートの一例を示す模式図。
【符号の説明】
【００５８】
２…ＰＯＳ端末、４…商品マスタファイル、５…無線タグリーダライタ、６…バーコードスキャナ、７…値札ラベル、８…無線タグ、２１…キーボード、２２…オペレータ用ディスプレイ、２３…客用ディスプレイ、２４…レシートプリンタ、２６…ＣＰＵ、４１…タグフォーマットテーブル、４２…商品登録メモリ。
【図１】
2005339353.tif 000003
【図２】
2005339353.tif 000004
【図３】
2005339353.tif 000005
【図４】
2005339353.tif 000006
【図５】
2005339353.tif 000007
【図６】
2005339353.tif 000008
【図７】
2005339353.tif 000009
【図８】
2005339353.tif 000010
【図９】
2005339353.tif 000011
【図１０】
2005339353.tif 000012
【図１１】
2005339353.tif 000013
【図１２】
2005339353.tif 000014